(57)【要約】【課題】防振手段の振動減衰機能を阻害せずに、支持部材を経由して、躯体と天井板の間を伝わる振動を減衰させると共に、躯体と天井板の相対的横移動を規制する天井構造を提供する。【解決手段】天井１０は、躯体１４から吊り下げられ、振動を減衰させる防振手段１８を備えた吊り部材１６、１７と、吊り部材１６、１７で吊り下げられた天井板１２と、躯体１４に固定されて下方へ延出された支持部材２４と、天井板１２と支持部材２４を連結し、防振手段１８の振動減衰機能を阻害せずに、支持部材２４を経由して、躯体１４と天井板１２の間を伝わる振動を減衰させると共に、躯体１４と天井板１２の相対的横移動を規制する連結部材３０と、を有している。【選択図】図１
2015158051.tif 000002
【特許請求の範囲】
【請求項１】
躯体から吊り下げられ、振動を減衰させる防振手段を備えた吊り部材と、
前記吊り部材で吊り下げられた天井板と、
前記躯体に固定されて下方へ延出された支持部材と、
前記天井板と前記支持部材を連結し、前記防振手段の振動減衰機能を阻害せずに、前記支持部材を経由して、前記躯体と前記天井板の間を伝わる振動を減衰させると共に、前記躯体と前記天井板の相対的横移動を規制する連結部材と、
を有する天井構造。
【請求項２】
前記連結部材は、
前記支持部材に接合された上部材と、
前記上部材の下方に、前記上部材と隙間を開けて配置され、前記天井板に接合された下部材と、
前記上部材と前記下部材を連結し、前記上部材と前記下部材の間を伝わる振動を減衰させ、前記上部材と前記下部材の相対的横移動を規制する振動制御機構と、
を有している請求項１に記載の天井構造。
【請求項３】
前記振動制御機構は、前記下部材又は前記上部材の一方から縦方向に突出されたダボと、
前記ダボを囲むゴムブッシュと、
前記下部材又は前記上部材の他方に設けられ、前記ゴムブッシュが挿入される開口部が形成されたダボ受け部と、
を有している請求項２に記載の天井構造。
【請求項４】
前記支持部材は、前記躯体から斜めに延出された斜材である請求項１〜３のいずれか１項に記載の天井構造。
【発明の詳細な説明】
【技術分野】
【０００１】
本発明は、天井構造に関する。
【背景技術】
【０００２】
音楽ホールやシネマコンプレックス等の天井板は、天井から上階躯体への振動、並びに上階躯体から天井板に伝達される振動（いわゆる微振動）を抑制するための防振機能を備えている。この防振機能は、一般的に、ゴム等を介して、吊り部材で天井板を吊るす構成で達成されている。一方、この構成の天井板に耐震機能を持たせるには、地震時等における天井板の揺れを抑制するため、斜材(ブレース)架構等により天井板を躯体等に固定する必要がある。
しかし、天井板を、単に支持部材等で躯体に固定すれば、防振機能が損なわれてしまう。また、いわゆる微振動が、支持部材を経由して、躯体と天井板間で伝達される。
躯体から天井板に伝達される振動を縦振動と横振動に分けて抑制する技術には、例えば特許文献１がある。
【０００３】
特許文献１は、天井部に設けられ舞台用の各種器具が取り付けられる簀の子を、縦振動と横振動のいずれをも抑制するように、躯体に設けられた防振浮梁から、連結部材で吊り下げる構成である。
ここに、防振浮梁は、簀の子の上方の桁間に、桁と交差する方向に設けられている。また、防振浮梁は、両端部が桁に形成された突設部の上に設置され、突設部の上面と防振浮梁の下面の間には第１の防振ゴムが設けられている。また、防振浮梁の長手方向両端部には、防振浮梁が垂直振動したときには接触せず、横振動したときに、横振動を吸収する第２の防振ゴムが設けられている。
【先行技術文献】
【特許文献】
【０００４】
【特許文献１】特開平０９−８８２３０号公報
【発明の概要】
【発明が解決しようとする課題】
【０００５】
しかし、特許文献１の技術では、簀の子が防振浮梁から連結部材で吊るされているため、地震時の横移動を防振浮梁の位置で減衰させたとしても、振り子現象による簀の子（天井板）の振動（躯体と天井板の相対的横移動）を抑制することはできない。
【０００６】
本発明は上記事実に鑑み、防振手段の振動減衰機能を阻害せずに、支持部材を経由して、躯体と天井板の間を伝わる振動を減衰させると共に、躯体と天井板の相対的横移動を規制する天井構造の提供を目的とする。
【課題を解決するための手段】
【０００７】
請求項１に記載の発明に係る天井構造は、躯体から吊り下げられ、振動を減衰させる防振手段を備えた吊り部材と、前記吊り部材で吊り下げられた天井板と、前記躯体に固定されて下方へ延出された支持部材と、前記天井板と前記支持部材を連結し、前記防振手段の振動減衰機能を阻害せずに、前記支持部材を経由して、前記躯体と前記天井板の間を伝わる振動を減衰させると共に、前記躯体と前記天井板の相対的横移動を規制する連結部材と、を有することを特徴としている。
【０００８】
請求項１に記載の発明によれば、防振手段を備えた吊り部材により、躯体と天井板の間を伝わる振動が減衰され、躯体に固定されて下方へ延出された支持部材と天井板が、連結部材で連結されている。ここに、連結部材は、吊り部材に備えられた防振手段の振動減衰機能を阻害せずに、支持部材を経由して、躯体と天井板の間を伝わる振動を減衰させ、躯体と天井板の相対的横移動を規制する。
これにより、防振手段の振動減衰機能を阻害せずに、支持部材を経由して、躯体と天井板の間を伝わる振動が減衰されると共に、躯体と天井板の相対横的移動を規制することができる。
【０００９】
請求項２に記載の発明は、請求項１に記載の天井構造において、前記連結部材は、前記支持部材に接合された上部材と、前記上部材の下方に、前記上部材と隙間を開けて配置され、前記天井板に接合された下部材と、前記上部材と前記下部材を連結し、前記上部材と前記下部材の間を伝わる振動を減衰させ、前記上部材と前記下部材の相対的横移動を規制する振動制御機構と、を有していることを特徴としている。
【００１０】
請求項２に記載の発明によれば、上部材が支持部材に接合され、下部材が天井板に接合され、上部材と下部材が振動制御機構で連結される。ここに振動制御機構は、上部材と下部材の間を伝わる振動を減衰させ、上部材と下部材の相対的横移動を規制する。
これにより、上部材と下部材の間で伝達される振動が減衰され、上部材と下部材の相対的横移動が規制される。
【００１１】
請求項３に記載の発明は、請求項２に記載の天井構造において、前記振動制御機構は、前記下部材又は前記上部材の一方から縦方向に突出されたダボと、前記ダボを囲むゴムブッシュと、前記下部材又は前記上部材の他方に設けられ、前記ゴムブッシュが挿入される開口部が形成されたダボ受け部と、を有していることを特徴としている。
【００１２】
請求項３に記載の発明によれば、下部材又は上部材の一方から縦方向に突出されたダボがゴムブッシュで囲まれ、下部材又は上部材の他方に設けられたダボ受け部の開口部に挿入される。
これにより、上部材と下部材間の振動は、ゴムブッシュで囲まれたダボと、ダボ受け部の開口部との間の隙間部、及びゴムブッシュの伸縮で許容される。一方、上部材と下部材間の相対的横移動は規制される。
【００１３】
請求項４に記載の発明は、請求項１〜３のいずれか１項に記載の天井構造において、前記支持部材は、前記躯体から斜めに延出された斜材であることを特徴としている。
【００１４】
請求項４に記載の発明によれば、斜材により、吊り部材との交錯を避けて、躯体と天井板の相対的横移動を規制することができる。
【発明の効果】
【００１５】
本発明は、上記構成としてあるので、防振手段の振動減衰機能を阻害せずに、支持部材を経由して、躯体と天井板の間を伝わる振動を減衰させると共に、躯体と天井板間の相対的横移動を規制する天井構造を提供することができる。
【図面の簡単な説明】
【００１６】
【図１】本発明の実施形態に係る天井構造の基本構成を示す正面図である。
【図２】本発明の実施形態に係る天井構造における連結部材を拡大した正面図である。
【図３】（Ａ）は連結部材を背面側から見た斜視図であり、（Ｂ）はは連結部材を正面側から見た斜視図である。
【図４】（Ａ）は図２のＡ−Ａ線断面図であり、（Ｂ）は図２のＢ−Ｂ線断面図である。
【発明を実施するための形態】
【００１７】
図１〜図４を用いて実施形態に係る天井構造について説明する。
図１の正面図に示すように、天井構造を構成する天井１０は、音楽ホールやシネマコンプレックス等の天井であり、建物の躯体１４から吊下げられた吊りボルト（吊り部材）１６、１７で、吊り下げられている。
【００１８】
天井板１２は、石膏ボードや木製板等の一般的な材料で形成されている。天井板１２は、所定の間隔を開けて野縁２０に取付けられ、野縁２０は、野縁２０と交差する方向へ設けられた野縁受け２２に固定されている。野縁受け２２は、吊りボルト１６、１７で躯体１４から吊り下げられている。吊りボルト１７は、後述する制震部材（連結部材）３０と、野縁受け２２の同じ位置に連結されるため、吊りボルト１６と一部構成の違いがある。しかし、基本的な機能は、吊りボルト１６と同じである。
【００１９】
吊りボルト１６は、上端部が、図示しないアンカーボルト等で躯体１４に固定され、下端部には、防振ハンガー（防振手段）１８が取付けられ、防振ハンガー１８と野縁受け２２に接合された吊り金具５０が連結されている。
吊りボルト１７は、上下方向に吊りボルト１７Ｕと吊りボルト１７Ｄに分割され、吊りボルト１７Ｕの上端部が、図示しないアンカーボルト等で躯体１４に固定され、吊りボルト１７Ｄの下端部が、野縁受け２２に接合された吊り金具５１と連結されている。また、吊りボルト１７Ｕの下端部と、吊りボルト１７Ｄの上端部の間に、防振ハンガー１８が設けられている。
【００２０】
防振ハンガー１８は、図２の拡大図に示すように、中空ボックス部４４を有し、中空ボックス部４４の上面には、吊りボルト１７Ｕの下端部が接合され、中空ボックス部４４の下面には、吊りボルト１７Ｄの上端部が接合されている。中空ボックス部４４の内部には、縦方向の振動を減衰させるゴム部材４６が配置されている。ゴム部材４６の内部には、図示しない貫通孔が設けられ、吊りボルト１７Ｄの上端部が貫通され、ゴム部材４６の上端部に固定されている。
【００２１】
これにより、防振ハンガー１８の位置で、ゴム部材４６を介することで、天井板１２から躯体１４への振動、並びに躯体１４から天井板１２へ伝達される振動（いわゆる微振動）の伝達が減衰される。
【００２２】
躯体１４には、支持部材としての一対のブレース（斜材）２４が固定されている。一対のブレース２４は、鋼材（形鋼）で形成され、上端部が、離れた２点（図１では、吊りボルト１７を挟んで隣り合う２本の吊りボルト１６の固定部と同じ部位）から、それぞれ斜め下方へ、先端を狭めながら延出されている。これにより、吊りボルト１６、１７との交錯を避けて延出させることができる。
【００２３】
一対のブレース２４の下端部は、いずれも制震部材３０と連結されている。一対のブレース２４は、地震時の天井板１２の横方向の移動を規制する剛性を備え、地震時には、躯体１４と制震部材３０を一体的に移動させる。
ここに、制震部材３０は、天井板１２と一対のブレース２４を連結し、一対のブレース２４を経由して、躯体１４と天井板１２の間を伝わる振動を減衰させると共に、躯体１４と天井板１２の相対的横移動を規制する。
【００２４】
次に、制震部材３０の具体的構成について説明する。
図２の拡大図に示すように、制震部材３０は、上下方向に配置された、上部材２６と下部材２６を有している。上部材２６には、一対のブレース２４の両端部が接合され、下部材２８には、野縁受け２２が接合されている。
【００２５】
図３、図４の斜視図に示すように、上部材２６は、鋼板で側面視がＬ字状に形成されている。上部材２６の一つの辺２６Ｈは横に向けて配置され、他の辺２６Ｖは縦に向けて配置されている。縦に向けられた辺２６Ｖには、一対のブレース２４の下端部が固定されている。
【００２６】
下部材２８は、鋼板で、側面視において、一部が欠けた矩形状に形成されている。上辺２８Ｈを横に向け、中央辺２８Ｖを縦に向けて配置され、中央辺２８Ｖと対向する対向辺２８Ｔは、両端部に限定され、中央辺２８Ｖより面積が小さい。
上辺２８Ｈは、上部材２６の辺２６Ｈと所定の隙間ｄを開けて対向配置されている。また、下部材２８の下辺２８Ｄは、野縁受け２２の底面を支持し、一部が折り返されて対向辺２８Ｔとされている。中央辺２８Ｖと対向辺２８Ｔで、野縁受け２２の側面を、両側から挟み込んでいる。また、中央辺２８Ｖと対向辺２８Ｔ、中央辺２８Ｖと野縁受け２２は、ビス４０で固定されている。
これにより、天井板１２と下部材２８の一体化が図られている。
【００２７】
また、下部材２８の中央部には、幅Ｗ１、高さＨ１の切欠き部が形成されている。この切欠き部には、吊り部材１７Ｄと接合される吊り金具５１が配置されている。
図４（Ａ）に示すように、吊り金具５１は、下端部５１ＤがＵ字状に曲げられ、Ｕ字部で野縁受け２２を支持している。吊り金具５１は、上部材２６と接触しないように、上部５１Ｕが、上部材２６から離れる方向に折り曲げられ、折り曲げ部で吊り部材１７Ｄと接合されている。
【００２８】
上部材２６と下部材２８の間の隙間ｄには、上部材２６と下部材２８間の振動を減衰させ、上部材２６と下部材２８間の相対的横移動を規制する振動制御部（振動制御機構）３２が設けられている。
【００２９】
図４（Ｂ）に示すように、振動制御部３２は、下部材２８の上辺２８Ｈから、縦方向（上方）へ突出されたダボ３４と、ダボ３４を囲むゴムブッシュ３６とを有している。ダボ３４は、上辺２８Ｈの図示しない取付孔に取付けられ、ナットで固定されている。また、ゴムブッシュ３６は、所定の高さ、厚さを備え、ダボ３４の周囲を囲んでいる。
上部材２６の辺２６Ｈには、ゴムブッシュ３６が挿入される、開口部が形成されたダボ受け部３８が設けられている。下部材２８と野縁受け２２の間には、ダボ３４の位置合わせのための調整板２３が設けられている。
なお、ダボ３４は、上部材２６の辺２６Ｈから縦方向（下方へ）に突出され、ダボ受け部３８が下部材２８の上辺２８Ｈに形成されていてもよい。
【００３０】
これにより、下部材２８から縦方向に突出されたダボ３４がゴムブッシュ３６で囲まれた状態で、上部材２６に設けられたダボ受け部３８の開口部に挿入される。
この結果、上部材２６と下部材２８間の相対的な振動は、ゴムブッシュ３６で囲まれたダボ３４と、ダボ受け部３８の開口部との間の隙間部、及びゴムブッシュ３６の伸縮で減衰される。一方、上部材２６と下部材２８間の相対的横移動は規制される。
【００３１】
即ち、上部材２６が一対のブレース２４に接合され、下部材２８が天井板１２の野縁受け２２に接合され、振動制御部３２により、上部材２６と下部材２８の間で伝達される振動を減衰させ、上部材２６と下部材２８の間の相対的横移動が規制される。
【００３２】
以上説明したように、本構成によれば、防振ハンガー１８を備えた吊りボルト１６により、躯体１４と天井板１２の間の振動が減衰される。
また、制震部材３０により、吊りボルト１６に備えられた、防振ハンガー１８の振動減衰機能を阻害せずに、一対のブレース２４を経由して、躯体１４と天井板１２の間を伝わる振動を減衰させると共に、躯体１４と天井板１２の相対的横移動を規制する天井構造を提供することができる。
【００３３】
なお、本実施形態では、吊りボルト１７と制震部材３０を、野縁受け２２の同じ位置に取付けた構成で説明した。しかし、これに限定されることはなく、吊りボルト１７と制震部材３０を、離して取付けてもよい。
【００３４】
また、本実施形態では、上部材２６を固定する一対のブレース２４は、躯体１４から斜めに突出する構成とした。しかし、これに限定されることはなく、支持部材は、天井板１２の横方向の移動を規制する剛性を有し、躯体１４と制震部材３０を一体的に移動させることができれば、部材方向は鉛直方向でもよいし、部材形状が曲がっていてもよい。
【００３５】
また、本実施形態では、一対のブレース２４は、躯体１４に設けられた吊り部材１６と同じ固定位置から、斜めに突出す構成とした。しかし、これに限定されることはなく、吊り部材１６と異なる固定位置に固定してもよい。
【符号の説明】
【００３６】
１０  天井
１２  天井板
１４  建物躯体（躯体）
１６  吊りボルト（吊り部材）
１７  吊りボルト（吊り部材）
１８  防振ハンガー（防振手段）
２０  野縁  
２２  野縁受け
２４  斜材（支持部材）
２６  上部材
２８  下部材
３０  制振部材（連結部材）
３２  振動制御部（振動制御機構）
３４  ダボ
３６  ゴムブッシュ
３８  ダボ受け部
【図１】
2015158051.tif 000003
【図２】
2015158051.tif 000004
【図３】
2015158051.tif 000005
【図４】
2015158051.tif 000006